(57)【要約】【課題】トロリ線の停電作業が不要で電池廃棄物が出ないトロリ線摩耗検出装置を提供する。【解決手段】トロリ線の高電圧部に該トロリ線の摩耗を検出する摩耗検出回路８とその摩耗検出に係る制御信号及び検出信号を送受信すると共に電磁波から電力を取り込む空中線３（１２，１３）とを有する高電圧部装置２を設置し、大地電圧部には電磁波で電力を送り出すと共に前記制御信号及び検出信号を送受信する空中線３（１２，１３）を有する大地電圧部装置１を設置した。【選択図】　　　　図１
2004094300.tif 000002
【特許請求の範囲】
【請求項１】
トロリ線の高電圧部に該トロリ線の摩耗を検出する摩耗検出回路とその摩耗検出に係る制御信号及び検出信号を送受信すると共に電磁波から電力を取り込む空中線とを有する高電圧部装置を設置し、大地電圧部には電磁波で電力を送り出すと共に前記制御信号及び検出信号を送受信する空中線を有する大地電圧部装置を設置したことを特徴とするトロリ線摩耗検出装置。
【請求項２】
前記高電圧部装置及び前記大地電圧部装置は、電力伝送用の空中線と信号送受信用の空中線とを別々に有することを特徴とする請求項１記載のトロリ線摩耗検出装置。
【請求項３】
前記高電圧部装置及び前記大地電圧部装置は、電力伝送用の空中線と信号送受信用とを兼用する空中線を有することを特徴とする請求項１記載のトロリ線摩耗検出装置。
【請求項４】
前記高電圧部装置は、前記空中線で受信した電磁波の受信強度を検出して前記大地電圧部装置に送信することを特徴とする請求項１〜３いずれか記載のトロリ線摩耗検出装置。
【発明の詳細な説明】
【０００１】
【発明の属する技術分野】
本発明は、トロリ線に内蔵した検知線を用いてトロリ線の摩耗を検出するトロリ線摩耗検出装置に係り、特に、トロリ線の停電作業が不要で電池廃棄物が出ないトロリ線摩耗検出装置に関するものである。
【０００２】
【従来の技術】
従来のトロリ線摩耗検出装置は、図３に示されるように、トロリ線５に内蔵した検知線６とトロリ線５との間に電圧を印加し、このとき検知線６に流れる電流を電流検出器８で検出し、この電流からトロリ線の摩耗を検出するようになっている。その摩耗検出に関するデータは携帯電話１６等の既存の無線通信手段を利用して送受信される。
【０００３】
このトロリ線摩耗検出装置は、リチウム電池などの一次電池１５を電源として備えている。検知線６への電圧印加はもとより、電流検出器８や携帯電話１６の電力もこの一次電池１５から供給される。
【０００４】
【発明が解決しようとする課題】
トロリ線摩耗検出装置は、その特性上、つまりトロリ線５への電圧印加を行う必要から高電圧部に設置される。このため、従来のトロリ線摩耗検出装置は、一次電池１５が消耗し、交換が必要になった場合、その交換作業のためにトロリ線５の停電が必要となる。
【０００５】
また、従来のトロリ線摩耗検出装置は、携帯電話１６を利用しているので、その携帯電話１６の消費電力に応じた一次電池１５の容量増加が必要となるか、或いは一次電池１５の寿命が短縮化して交換頻度が増加する。
【０００６】
そして、交換された古い一次電池１５は廃棄物となる。
【０００７】
そこで、本発明の目的は、上記課題を解決し、トロリ線の停電作業が不要で電池廃棄物が出ないトロリ線摩耗検出装置を提供することにある。
【０００８】
【課題を解決するための手段】
上記目的を達成するために本発明は、トロリ線の高電圧部に該トロリ線の摩耗を検出する摩耗検出回路とその摩耗検出に係る制御信号及び検出信号を送受信すると共に電磁波から電力を取り込む空中線とを有する高電圧部装置を設置し、大地電圧部には電磁波で電力を送り出すと共に前記制御信号及び検出信号を送受信する空中線を有する大地電圧部装置を設置したものである。
【０００９】
前記高電圧部装置及び前記大地電圧部装置は、電力伝送用の空中線と信号送受信用の空中線とを別々に有してもよい。
【００１０】
前記高電圧部装置及び前記大地電圧部装置は、電力伝送用の空中線と信号送受信用とを兼用する空中線を有してもよい。
【００１１】
前記高電圧部装置は、前記空中線で受信した電磁波の受信強度を検出して前記大地電圧部装置に送信してもよい。
【００１２】
【発明の実施の形態】
以下、本発明の一実施形態を添付図面に基づいて詳述する。
【００１３】
図１に示されるように、本発明に係るトロリ線摩耗検出装置は、大地電圧部に設置する大地電圧部装置１とトロリ線の高電圧部に設置する高電圧部装置２とからなる。
【００１４】
大地電圧部装置１は、高電圧部装置２を駆動するための電力となる電力信号と高電圧部装置２を制御するための制御信号とを送出する送出回路４と、その電力信号及び制御信号をマイクロ波などの電磁波に変換して送出する空中線３と、これら送出回路４及び空中線３を制御する制御回路９とを備えている。
【００１５】
送出回路４は、電力送信用の大電力送信用駆動回路と、この電力信号に制御信号を重畳し、高電圧部装置２から受信した検出信号を分離する重畳分離回路とを備えている。
【００１６】
高電圧部装置２は、大地電圧部装置１からの電力信号及び制御信号を受信する空中線３と、電力信号と制御信号とを分離すると共に検出信号を送出する分離送出回路７と、トロリ線５の摩耗を検出する電流検出回路８と、これら各回路を制御する制御回路９とを備えている。
【００１７】
図１のトロリ線摩耗検出装置の動作を説明する。
【００１８】
大地電圧部装置１では、送出回路４が電力信号と制御信号とを送出すると、その電力信号及び制御信号を空中線３が電磁波に変換して送出する。
【００１９】
高電圧部装置２では、空中線３が大地電圧部装置１からの電力信号及び制御信号を受信し、分離送出回路７が電力信号と制御信号とを分離する。電力信号は、分離送出回路７、電流検出回路８、制御回路９の駆動電力及び検知線６とトロリ線５との間の印加電力となる。電流検出回路８で検出された電流或いはトロリ線の摩耗は検出信号として分離送出回路７が空中線３を介して送出する。
【００２０】
大地電圧部装置１では、送出回路４が高電圧部装置２から空中線３を介して受信した検出信号を分離する。これにより、トロリ線の摩耗状況は大地電圧部装置１において把握されることになる。
【００２１】
高電圧部装置２は、大地電圧部装置１から電磁波で送信された電力を取り込んで内部の電力消費にあてるので、従来のような一次電池１５は不要である。このため、交換等の定期的な保守が不要となると共に、一次電池１５の廃棄物が出なくなる。
【００２２】
図２に示した他の実施形態によるトロリ線摩耗検出装置は、大地電圧部に設置する大地電圧部装置１とトロリ線の高電圧部に設置する高電圧部装置２とからなる。
【００２３】
大地電圧部装置１には、電力送信用回路１０、電力送信用空中線１２、信号送受信用回路１４、信号送受信用空中線１３、制御回路９が設けられている。
【００２４】
高電圧部装置２には、電力受信用空中線１２、電力を抽出する受信回路１１、信号送受信用空中線１３、信号送受信用回路１４、電流検出回路８が設けられている。
【００２５】
図２のトロリ線摩耗検出装置の動作を説明する。
【００２６】
大地電圧部装置１では、電力送信用回路１０が電力信号を送出し、その電力信号を電力送信用空中線１２が電磁波に変換して送出する。また、信号送受信用回路１４が制御信号を送出し、その制御信号を信号送受信用空中線１３が電磁波に変換して送出する。
【００２７】
高電圧部装置２では、電力受信用空中線１２が大地電圧部装置１からの電力信号を受信し、信号送受信用空中線１３が大地電圧部装置１からの制御信号を受信する。電力信号は、受信回路１１、信号送受信用回路１４、電流検出回路８の駆動電力及び検知線６とトロリ線５との間の印加電力となる。電流検出回路８で検出された電流或いはトロリ線の摩耗は検出信号として信号送受信用回路１４が空中線３を介して送出する。
【００２８】
大地電圧部装置１では、信号送受信用回路１４が高電圧部装置２からの検出信号を受信する。これにより、トロリ線の摩耗状況は大地電圧部装置１において把握されることになる。
【００２９】
高電圧部装置２は、大地電圧部装置１から電磁波で送信された電力を取り込んで内部の電力消費にあてるので、従来のような一次電池１５は不要である。このため、交換等の定期的な保守が不要となると共に、一次電池１５の廃棄物が出なくなる。また、電力送受信用の電磁波と制御信号送受信用の電磁波とを別々に伝送するので、分離送出回路７で分離することなく、常時、電力を供給しながら制御信号の送受信を同時に行うことができる。
【００３０】
図１、図２の形態において、高電圧部装置２は、空中線３（１２）で受信した電磁波の受信強度を検出して大地電圧部装置１に送信してもよい。これにより、高電圧部装置２で電力が不足な場合には大地電圧部装置１から伝送する電力を増加させ、高電圧部装置２で電力が過剰な場合には大地電圧部装置１から伝送する電力を削減するという電力調節が可能になる。
【００３１】
【発明の効果】
本発明は次の如き優れた効果を発揮する。
【００３２】
（１）一次電池が省略でき定期的な保守を必要としない。
【００３３】
（２）一次電池を使用しないので廃棄物の発生が抑えられる。
【図面の簡単な説明】
【図１】本発明の一実施形態を示すトロリ線摩耗検出装置のブロック回路図である。
【図２】本発明の一実施形態を示すトロリ線摩耗検出装置のブロック回路図である。
【図３】従来のトロリ線摩耗検出装置のブロック回路図である。
【符号の説明】
１　大地電圧部装置
２　高電圧部装置
３　空中線
５　トロリ線
６　検知線
１２　電力受信用空中線
１３　信号送受信用空中線
【図１】
2004094300.tif 000003
【図２】
2004094300.tif 000004
【図３】
2004094300.tif 000005